(57)【要約】【課題】装飾性及び娯楽性の高い椅子を提供する。【解決手段】４本の側方脚部３〜６は、座部２１の一方の側方縁部２４にそれぞれ一端３１〜６１が連結され、他端３２〜１６２が設置面と接触する。また４本の側方脚部１３〜１６は、座部２１の他方の側方縁部２５に一端１３１〜１６１が連結され、他端１３２〜１６２が床等の設置面と接触する。さらに６本の後方脚部７〜１２は、座部２１の後方縁部２３に一端７１〜１２１が連結され、他端７２〜１２２が床等の設置面と接触する。１４本の脚部３〜１６は、座部２１に体重が加わった状態において座部２１を所定の高さ領域に維持することができる剛性と、座部２１に体重が加わった状態で体重の重心が上下方向、左右方向または前後方向に移動したときに、座部２１が重心の移動方向に動くことを許容する可撓性とを備えている。【選択図】図１
2008237778.tif 000002
【特許請求の範囲】
【請求項１】
座と、前記座を支持する複数本の脚部とを有する椅子であって、
前記座は、人が座る座部の周囲に、前方縁部と、後方縁部と、前記前方縁部と前記後方縁部との間に位置する一対の側方縁部とを備えており、
前記複数本の脚部は、前記一対の側方縁部の一方にそれぞれ一端が連結され他端が設置面と接触する２本以上の側方脚部と、前記一対の側方縁部の他方にそれぞれ一端が連結され他端が前記設置面と接触する２本以上の側方脚部とを有しており、
前記複数本の側方脚部は、それぞれ前記一端から上方に向かって延びる内側立ち上がり部分と、前記他端から上方に向かって延びる外側立ち上がり部分と、前記内側立ち上がり部分と前記外側立ち上がり部分とを連結する連結部分とを備えており、
前記複数本の側方脚部は、前記座部に体重が加わった状態において前記座部を所定の高さ領域に維持することができる剛性と、前記座部に前記体重が加わった状態で前記体重の重心が上下方向、左右方向または前後方向に移動したときに前記座部が前記重心の移動方向に動くことを許容する可撓性とを備えていることを特徴とする椅子。
【請求項２】
前記複数本の脚部は、前記後方縁部に一端が連結され他端が設置面と接触する１本以上の後方脚部を更に備え、
前記１本以上の後方脚部は、前記一端から上方に向かって延びる内側立ち上がり部分と、前記他端から上方に向かって延びる外側立ち上がり部分と、前記内側立ち上がり部分と前記外側立ち上がり部分とを連結する連結部分とを備えており、
前記１本以上の後方脚部も、４本以上の前記側方脚部と協働して前記座部に人の体重が加わった状態において前記座部を所定の高さ領域に維持することができる剛性と、前記座部に前記体重が加わった状態で前記体重の重心が上下方向、左右方向または前後方向に移動したときに前記座部が前記重心の移動方向に動くことを許容する可撓性とを備えている請求項１に記載の椅子。
【請求項３】
前記１本以上の後方脚部の前記内側立ち上がり部分が、前記椅子の背凭れ部を構成するように、前記１本以上の後方脚部の形状寸法と取り付け位置とが定められている請求項２に記載の椅子。
【請求項４】
４本以上の前記側方脚部の前記内側立ち上がり部分が、前記椅子の肘掛部を構成するように、４本以上の前記側方脚部の形状寸法と取り付け位置とが定められている請求項１または３に記載の椅子。
【請求項５】
前記側方脚部は、全体的に湾曲した形状を有している請求項１に記載の椅子。
【請求項６】
前記後方脚部は、全体的に湾曲した形状を有している請求項２に記載の椅子。
【請求項７】
前記座並びに前記側方脚部及び後方脚部は、それぞれ熱硬化性合成樹脂材料中に強化材としてカーボンファイバ、ガラスファイバ、アラミドファイバ等の強化用ファイバを含んだ複合合成樹脂シートを原材料として形成されており、前記座並びに前記側方脚部及び後方脚部は、加熱及び加圧加工によって一体化されている請求項２に記載の椅子。
【請求項８】
前記重心が移動したときに、前記座部の動きを拘束することなく且つ前記側方脚部及び後方脚部のそれぞれの前記他端が、前記設置面から跳ね上がるのを阻止するように、前記側方脚部及び後方脚部は、隣り合う少なくとも１本の他の脚部と連結部材によって相互に連結されている請求項２に記載の椅子。
【請求項９】
前記側方脚部及び後方脚部のそれぞれの前記他端は、隣り合う２本の他の脚部と前記連結部材によって相互に連結されている請求項８に記載の椅子。
【請求項１０】
前記複数本の脚部は、前記一対の側方縁部の一方に前記座部の周方向に間隔をあけて前記座部に連結された４本以上の前記側方脚部と、前記一対の側方縁部の他方に前記座部の周方向に間隔をあけて前記座部に連結された４本以上の前記側方脚部と、前記後方縁部に前記座部の周方向に間隔をあけて前記座部に連結された４本以上の後方脚部とからなり、
前記側方脚部及び前記後方脚部は、それぞれ、前記座部の前記前方縁部からの距離が長くなるほど、前記内側立ち上がり部分の立ち上がり高さ寸法が長くなるように形状寸法が定められている請求項２に記載の椅子。
【請求項１１】
前記側方脚部及び前記後方脚部は、それぞれ全体的に湾曲した形状を有しており、
前記側方脚部及び前記後方脚部のそれぞれの前記他端は、前記座部を上方から見たときに、前記座部の外側に位置しており、
前記複数の他端を通る仮想連結線を想定して該仮想連結線を前記座部の上方からみたときに、前記仮想連結線が湾曲した形状を有するように、前記側方脚部及び前記後方脚部の形状寸法が定められている請求項２に記載の椅子。
【請求項１２】
座と、前記座を支持する複数本の脚部とを有する椅子であって、
前記座は、人が座る座部の周囲に、前方縁部と、後方縁部と、前記前方縁部と前記後方縁部との間に位置する一対の側方縁部とを備えており、
前記複数本の脚部は、前記一対の側方縁部の一方にそれぞれ一端が連結され他端が設置面と接触する２本以上の脚部と、前記一対の側方縁部の他方にそれぞれ一端が連結され他端が前記設置面と接触する２本以上の脚部と、前記後方縁部に一端が連結され他端が設置面と接触する１本以上の脚部を備え、
前記複数本の脚部は、それぞれ前記一端から上方に向かって延びる内側立ち上がり部分と、前記他端から上方に向かって延びる外側立ち上がり部分と、前記内側立ち上がり部分と前記外側立ち上がり部分とを連結する連結部分とを備えており、
前記複数本の脚部は、前記座部に体重が加わった状態において前記座部を所定の高さ領域に維持することができる剛性と、前記座部に前記体重が加わった状態で前記体重の重心が上下方向、左右方向または前後方向に移動したときに前記座部が前記重心の移動方向に動くことを許容する可撓性とを備えていることを特徴とする椅子。
【請求項１３】
前記複数本の脚部は、前記座部の周方向に間隔をあけて前記座部に連結された４本以上の前記脚部と、前記一対の側方縁部の他方に前記座部の周方向に間隔をあけて前記座部に連結された４本以上の前記脚部と、前記後方縁部に前記座部の周方向に間隔をあけて前記座部に連結された４本以上の前記脚部とからなり、
前記複数本の脚部は、それぞれ、前記座部の前記前方縁部からの距離が長くなるほど、前記内側立ち上がり部分の立ち上がり高さ寸法が長くなるように形状寸法が定められている請求項１２に記載の椅子。
【請求項１４】
前記複数本の脚部は、それぞれ全体的に湾曲した形状を有しており、
前記複数本の脚部のそれぞれの前記他端は、前記座部を上方から見たときに、前記座部の外側に位置しており、
前記複数の他端を通る仮想連結線を想定して該仮想連結線を前記座部の上方からみたときに、前記仮想連結線が湾曲した形状を有するように、前記複数本の脚部の形状寸法が定められている請求項１３に記載の椅子。
【請求項１５】
前記重心が移動したときに、前記座部の動きを拘束することなく且つ前記側方脚部及び後方脚部のそれぞれの前記他端が、前記設置面から跳ね上がるのを阻止するように、前記複数本の脚部のそれぞれの前記他端は、隣り合う２本の他の脚部と連結部材によって相互に連結されている請求項１２または１３に記載の椅子。
【発明の詳細な説明】
【技術分野】
【０００１】
本発明は、座と、前記座を支持する複数本の脚部とを有する椅子に関するものである。
【背景技術】
【０００２】
特開２００６−３４１０４２号公報に示された従来の椅子は、座と、座を支持する４本の脚部とを有している。またこの従来の椅子は、座の後方縁部の後方に背凭れを有し、座の一対の側方縁部に一対の肘掛を有している。
【特許文献１】特開２００６−３４１０４２号公報
【発明の開示】
【発明が解決しようとする課題】
【０００３】
従来の椅子は、基本的には、実用性を重視して、その形状及び構造が決定されている。しかしながら生活を楽しむことや、余暇を楽しむことが、当たり前になった現代においては、実用性よりも、装飾性や、娯楽性を優先した椅子も提案されている。
【０００４】
本発明の目的は、装飾性及び娯楽性の高い椅子を提供することにある。
【課題を解決するための手段】
【０００５】
本発明の椅子は、人が座る座と、この座を支持する複数本の脚部とを有する。座は、人が座る座部の周囲に、前方縁部と、後方縁部と、前方縁部と後方縁部との間に位置する一対の側方縁部とを備えている。そして複数本の脚部は、一対の側方縁部の一方にそれぞれ一端が連結され他端が設置面と接触する２本以上の側方脚部と、一対の側方縁部の他方にそれぞれ一端が連結され他端が床等の設置面と接触する２本以上の側方脚部とを有している。複数本の側方脚部は、それぞれ一端から上方に向かって延びる内側立ち上がり部分と、他端から上方に向かって延びる外側立ち上がり部分と、内側立ち上がり部分と外側立ち上がり部分とを連結する連結部分とを備えている。そして複数本の側方脚部は、座部に体重が加わった状態において座部を所定の高さ領域に維持することができる剛性と、座部に体重が加わった状態で体重の重心が上下方向、左右方向または前後方向に移動したときに、座部が重心の移動方向に動くことを許容する可撓性とを備えている。このような構成を有する本発明の椅子では、人が座に座ったときに、人は必ず上下方向の揺れを体験し、また座った状態で体重の重心を移動させると、座が重心の移動方向（左右方向、上下方向及び前後方向並びにこれらの移動方向が組み合わされた方向）に動く動きを体験することになる。このような動きは、複数本の脚部を備えた従来の椅子では体験できないユニークな動きであり、本発明によれば、従来にない娯楽性を備えた椅子を提供することができる。また本発明の椅子の構成では、脚部が従来に無い形状を有しているため、装飾性の高い椅子を提供することもできる。
【０００６】
複数本の脚部は、後方縁部に一端が連結され他端が設置面と接触する１本以上の後方脚部を更に備えていてもよい。１本以上の後方脚部も、４本の側方脚部と同様に、一端から上方に向かって延びる内側立ち上がり部分と、他端から上方に向かって延びる外側立ち上がり部分と、内側立ち上がり部分と外側立ち上がり部分とを連結する連結部分とを備えていてる構造にするのが好ましい。この場合には、１本以上の後方脚部も、４本以上の側方脚部と協働して座部に人の体重が加わった状態において座部を所定の高さ領域に維持することができる剛性と、座部に体重が加わった状態で体重の重心が上下方向、左右方向または前後方向に移動したときに座部が重心の移動方向に動くことを許容する可撓性とを備えているのが好ましい。このような後方脚部が加わると、前述の前後方向への動きをより安定したものとすることができる。また椅子の外観は、見る者に、従来に無い節足動物のイメージを感じさせるような装飾性の高いものとなる。側方脚部及び後方脚部の本数が多くなるほど、このイメージは強くなる。
【０００７】
１本以上の後方脚部の内側立ち上がり部分が、椅子の背凭れ部を構成するように、１本以上の後方脚部の形状寸法と取り付け位置とを定めることができる。このようにすると、後方脚部が背凭れ部を兼ねるため、特別に背凭れ部を構成する部品を用意する必要が無くなる。また脚部が背凭れ部を構成するという、従来にないユニークな外観の椅子を提供することができる。
【０００８】
４本以上の側方脚部の内側立ち上がり部分が、椅子の肘掛部を構成するように、４本以上の側方脚部の形状寸法と取り付け位置とを定めてもよい。このように構成すると、肘掛部を構成するための特別な部品を用意する必要がなくなる。また脚部の内側立ち上がり部分が、肘掛部を構成する位置まで上がった形状になると、上下方向及び左右方向のバネ性が高くなるので、娯楽性もさらに高くなる。
【０００９】
なお側方脚部は、全体的に湾曲した形状を有していてもよい。全体的に湾曲した形状の側方脚部は、一端から他端までの間に角部が存在しないため、応力が集中する部分がなくなることにより、側方脚部の機械的強度の低下を抑制することができる。また外観は、角部が目立たないものとなるため、見る者に柔らかな印象を与えることができる。また後方脚部も、側方脚部と同様に、全体的に湾曲した形状を有しているのが好ましい。
【００１０】
座並びに側方脚部及び後方脚部は、所定の強度と可撓性を有するものであれば、種々の材料から製造することができる。例えば、熱硬化性合成樹脂材料中に強化材としてカーボンファイバ、ガラスファイバ、アラミドファイバ等の強化用ファイバを含んだ複合合成樹脂シートを原材料としてこれらを製造してもよい。このような原材料から製造する場合には、座並びに側方脚部及び後方脚部は、加熱及び加圧加工によって一体化することができる。
【００１１】
また脚部の本数が多くなると、脚部の幅寸法は小さくなる。そのため座部に座っている人の体重の重心が移動したときに、床面のような設置面から脚部の端部が跳ね上がることがある。そこでこのような事態が発生する場合には、座部の動きを拘束することなく且つ側方脚部及び後方脚部のそれぞれの他端が、床面のような設置面から跳ね上がるのを阻止するように、側方脚部及び後方脚部を、隣り合う少なくとも１本の他の脚部と連結部材によって相互に連結するのが好ましい。
【００１２】
連結部材で、隣り合う２本の脚部を連結する場合の連結位置は、脚部の端部の跳ね上がりを防止できる位置であれば特に限定されない。しかしながら側方脚部及び後方脚部のそれぞれの他端において、隣り合う２本の他の脚部を連結部材によって相互に連結すると、椅子を移動する際に、脚部の他端がカーペット等と引っ掛って椅子が移動しづらくなるのを防止できる。
【００１３】
なお複数本の脚部を、一対の側方縁部の一方に座部の周方向に間隔をあけて座部に連結された４本以上の側方脚部と、一対の側方縁部の他方に座部の周方向に間隔をあけて座部に連結された４本以上の側方脚部と、後方縁部に座部の周方向に間隔をあけて座部に連結された４本以上の後方脚部とから構成してもよい。この場合には、側方脚部及び後方脚部は、それぞれ、座部の前方縁部からの距離が長くなるほど、内側立ち上がり部分の立ち上がり高さ寸法が長くなるように形状寸法を定めるのが好ましい。このようにすると、内側立ち上がり部分が、座部に座った人の上半身を囲む肘掛と背凭れの機能を発揮するようになる。
【００１４】
また側方脚部及び後方脚部は、それぞれ全体的に湾曲した形状を有しているのが好ましい。この場合には、側方脚部及び後方脚部のそれぞれの他端は、座部を上方から見たときに、座部の外側に位置するようになる。そして複数の他端を通る仮想連結線を想定して該仮想連結線を座部の上方からみたときには、仮想連結線が湾曲した形状を有するように、側方脚部及び前記後方脚部の形状寸法を定める。このようにすると、あたかも蜘蛛のような節足動物の胴体から複数本の足が外側に延びているようなユニークな外観を形成することができる。
【発明の効果】
【００１５】
本発明の椅子では、人が座に座ったときに、人は必ず上下方向の揺れを体験し、また座った状態で体重の重心を移動させると、座が重心の移動方向（左右方向、上下方向及び前後方向並びにこれらの移動方向が組み合わされた方向）に動く、ユニークな動きを体験することができる。したがって本発明によれば、従来にない娯楽性を備えた椅子を提供することができる。また本発明の椅子の構成では、脚部が従来に無い形状を有しているため、装飾性の高い椅子を提供することもできる。
【発明を実施するための最良の形態】
【００１６】
以下図面を参照して本発明の実施の形態を詳細に説明する。図１は、本発明の第１の実施の形態の椅子１の斜視図であり、図２は椅子１の正面図、図３は椅子の平面図である。この椅子１は、エポキシ等の熱硬化性合成樹脂材料中に強化材としてカーボンファイバ、ガラスファイバ、アラミドファイバ等の強化用ファイバを含んだ複合合成樹脂シートを原材料として製造されたものである。例えば、三菱レイヨン株式会社からＰＹＲＯＦＩＬ（パイロフィル）の名称で販売されているカーボンファイバ入りの複合合成樹脂シートを用いる場合であれば、複数枚の複合合成樹脂シートを繊維の方向が交差するように重ねて低い温度で加熱加圧して各複合合成樹脂シートが接合して切断可能な一枚の原材料シートを作る。その後、原材料シートから、所定のパーツの形状を作るのに必要なシート状パーツを切り出す。そして切り出したシート状パーツを、型に入れて完全硬化の一歩手前のＢステージの段階まで加熱し、組み合わせ用パーツを作る。そして最終的に、複数の組み合わせ用パーツを部分的に重ねて型に入れ、加熱加圧して、すべての組み合わせパーツを完全に硬化させることにより椅子を製造している。
【００１７】
椅子１は、人が座る座２と、この座２を支持する１４本の脚部３〜１６とを有する。図１及び図３には、座２と１４本の脚部３〜１６との境界部を破線で示してある。座２は、人が座る座部２１の周囲に、前方縁部２２と、後方縁部２３と、前方縁部２２と後方縁部２３との間に位置する一対の側方縁部２４及び２５とを備えている。１４本の脚部３〜１６は、以下の説明では、側方脚部３〜６及び１３〜１６と後方脚部７〜１２とにグループ分けされる。図３に示すように、４本の側方脚部３〜６は、座部２１の一方の側方縁部２４にそれぞれ一端３１〜６１が連結され、他端３２〜６２が設置面と接触する。また４本の側方脚部１３〜１６は、座部２１の他方の側方縁部２５に一端１３１〜１６１が連結され、他端１３２〜１６２が床等の設置面と接触する。さらに６本の後方脚部７〜１２は、座部２１の後方縁部２３に一端７１〜１２１が連結され、他端７２〜１２２が床等の設置面と接触する。
【００１８】
図２に示すように、１４本の脚部３〜１６は、それぞれ一端３１〜１６１から上方に向かって延びる内側立ち上がり部分３３〜１６３と、他端３２〜１６２から上方に向かって延びる外側立ち上がり部分３４〜１６４と、内側立ち上がり部分３３〜１６３と外側立ち上がり部分３４〜１６４とを連結する連結部分３５〜１６５とを備えている。
【００１９】
そして１４本の脚部３〜１６は、座部２１に体重が加わった状態において座部２１を所定の高さ領域に維持することができる剛性と、座部２１に体重が加わった状態で体重の重心が上下方向、左右方向または前後方向に移動したときに、座部２１が重心の移動方向に動くことを許容する可撓性とを備えている。この剛性と可撓性は、前述の原材料の剛性と可撓性、そして各脚部の形状寸法によって付与される。
【００２０】
なお側方脚部３〜６及び１３〜１６及び後方脚部７〜１２は、連結部分３５〜１６５の中心部が頂点となり且つ上方に向かって凸となるように全体的に湾曲した形状を有していている。このような全体的に湾曲した形状の脚部３〜１６は、一端３１〜１６１から他端３２〜１６２までの間に角部が存在しないため、応力が集中する部分がなくなることにより、脚部３〜１６の機械的強度の低下を抑制することができる。また外観は、角部が目立たないものとなるため、見る者に柔らかな印象を与える。
【００２１】
この椅子１では、人が座２に座ったときに、人は必ず上下方向の揺れを体験し、また座った状態で体重の重心を移動させると、座２が重心の移動方向（左右方向、上下方向及び前後方向並びにこれらの移動方向が組み合わされた方向）に動く動きを体験することになる。このような動きは、複数本の脚部を備えた従来の椅子では体験できないユニークな動きである。したがってこの椅子によれば、従来にない娯楽性を味わうことができる。またこの椅子の構成では、脚部３〜１６が従来に無い形状を有しているため、装飾性も高いものとなる。特に本実施の形態のように、脚部が１４本もあると、椅子の外観は、見る者に、従来に無い節足動物（この例では蜘蛛）のイメージを感じさせる。
【００２２】
また本実施の形態では、後方脚部７〜１２の内側立ち上がり部分７３〜１２３が、椅子１の背凭れ部を構成するように、後方脚部７〜１２の形状が定められている。また４本の側方脚部３〜６及び１３〜１６の内側立ち上がり部分３３〜６３及び１３３〜１６３が、椅子１の一対の肘掛部を構成している。このように後方脚部７〜１２の形状寸法と、側方脚部３〜６及び１３〜１６の形状と取り付け位置とを定めると、後方脚部７〜１２が背凭れ部を兼ね、側方脚部３〜６及び１３〜１６が肘掛部を構成するため、特別に背凭れ部を構成する部品を用意する必要が無い。
【００２３】
また本実施の形態のように、脚部３〜１６の内側立ち上がり部分３３〜１６３が、肘掛部及び背凭れ部を構成する位置まで上がった形状になると、上下方向及び左右方向のバネ性が高くなるので、娯楽性もさらに高くなる。
【００２４】
上記第１の実施の形態では、側方脚部３〜６及び１３〜１６並びに後方脚部７〜１２は、それぞれ、座部２１の前方縁部２２からの距離が長くなるほど、内側立ち上がり部分３３〜１６３の立ち上がり高さ寸法が長くなるように形状寸法を定められている。そのため、内側立ち上がり部分３３〜１６３が、座部２１に座った人の上半身を囲む肘掛と背凭れの機能を発揮している。
【００２５】
また上記実施の形態では、側方脚部３〜６及び１３〜１６及び後方脚部７〜１２のそれぞれの他端３２〜１６２は、図３に示すように、座部２１を上方から見たときに、座部２１の外側に位置するようになる。そして他端３２〜１６２を通る仮想連結線ＰＬを想定してこの仮想連結線ＰＬを座部２１の上方からみたときには、仮想連結線が湾曲した形状を有するように、側方脚部３〜６及び１３〜１６及び後方脚部７〜１２の形状寸法を定めている。したがって、この椅子１はあたかも蜘蛛のような節足動物の胴体から複数本の足が外側に延びているようなユニークな外観を形成している。
【００２６】
本実施の形態のように、脚部３〜１６の本数が多くなると、脚部３〜１６の幅寸法は小さくなる。そのため座部２１に座っている人の体重の重心が移動したときに、床面のような設置面から脚部３〜１６の他端３２〜１６２が跳ね上がる場合もある。図４及び図５は、このような事態に対処した本発明の第２の実施の形態の椅子２０１の斜視図及び底面図を示している。この第２の実施の形態の椅子２０１では、図１乃至図３に示した第１の実施の形態の椅子に付した符号の数に２００を加算した数を符号として付して説明を省略する。この椅子２０１では、座部２２１の動きを拘束することなく且つ側方脚部２０３〜２０６及び２１３〜２１６と後方脚部２０７〜２１２のそれぞれの他端２３２から３６２が、連結部材２００で連結されている。図４及び図５の椅子では、側方脚部２０３〜２０６及び２１３〜２１６並びに後方脚部２０７〜２１２のそれぞれの他端において、隣り合う２本の他の脚部を連結部材２００によって相互に連結している。このようにすると、椅子２０１を移動する際に、脚部２０３〜２１６の他端２３２〜３６２がカーペット等と引っ掛って椅子が移動しづらくなるのを防止できる。連結部材２００で、隣り合う２本の脚部を連結する場合の連結位置は、脚部の端部の跳ね上がりを防止できる位置であれば特に限定されない。すなわち脚部２０３〜２１６の外側立ち上がり位置２３４〜２６４のどの部分を連結部材２００で連結してもよい。
【００２７】
図６は、脚部の本数を少なくした本発明の第３の実施の形態の椅子４０１の斜視図を示している。この例でも、図１の実施の形態と同様の部分には、図１の実施の形態で使用している符号の数に４００の数を加えた符号を付して、説明を省略する。この椅子４０１では、４本の側方脚部４０３，４０４及び４０８，４０９と３本の後方脚部４０５〜４０７を備えている。なおこの実施の形態で使用している脚部は、第１及び第２の実施の形態の椅子で使用している脚部の形状と同様のものを用いている。なおこの例でも所定の剛性と可撓性を出す必要がある。しかし、これは原材料で使用する複合合成樹脂シートの枚数を適宜に増やすことによって達成が可能である。
【００２８】
また図７は、最も脚部の本数が少ない本発明の実施の形態の椅子の斜視図を示している。この例でも、図１の実施の形態と同様の部分には、図１の実施の形態で使用している符号の数に５００の数を加えた符号を付して、説明を省略する。この椅子では、４本の側方脚部５０３〜５０６だけを有している。すなわち後方脚部を有していない。なおこの実施の形態でも、使用している脚部５０３〜５０６は、第１及び第２の実施の形態の椅子で使用している脚部の形状と同様のものを用いている。また所定の剛性と可撓性は、原材料で使用する複合合成樹脂シートの枚数を適宜に増やすことによって達成されている。なおこの例では、脚部の幅寸法を大きくすることにより、所定の剛性と可撓性を出すようにしてもよいのは勿論である。
【００２９】
上記の各実施の形態では、複数の脚部と座部とを一体に成形しているが、複数の脚部と座部とを螺子や接着剤等の公知の接合手段を用いて相互に接合するようにしてもよいのは勿論である。
【図面の簡単な説明】
【００３０】
【図１】本発明の第１の実施の形態の椅子の斜視図である。
【図２】図１の椅子の正面図である。
【図３】図１の椅子の平面図である。
【図４】第２の実施の形態の椅子の斜視図である。
【図５】第２の実施の形態の椅子の底面図である。
【図６】脚部の本数を少なくした本発明の第３の実施の形態の椅子の斜視図である。
【図７】脚部の本数を少なくした本発明の第４の実施の形態の椅子の斜視図である。
【符号の説明】
【００３１】
１  椅子
２  座
２１  座部
３〜１６  脚部
３３〜１６３  内側立ち上がり部
３４〜１６４  外側立ち上がり部
３５〜１６５  連結部分
２００  連結部材
【図１】
2008237778.tif 000003
【図２】
2008237778.tif 000004
【図３】
2008237778.tif 000005
【図４】
2008237778.tif 000006
【図５】
2008237778.tif 000007
【図６】
2008237778.tif 000008
【図７】
2008237778.tif 000009